(57)【特許請求の範囲】
【請求項１】
合成樹脂材からなり、物品載置部と、該物品載置部の周囲に設けられ、上記物品載置部に垂直に近い角度で形成された側壁と、上記物品載置部の底面の外周部に、該底面よりも下方向に突出された補強部とが一体に形成されてなるものであって、冷蔵庫の前方側に位置する上記側壁の頂部から前方側に伸びるように一体形成された前フランジを有し、かつ、上記補強部は、上記側壁と略同じ肉厚で該側壁から上記物品載置部の底面よりも下方向に延長する如く形成された底面周囲補強リブからなるとともに、上記側壁の頂部を上記前フランジよりも上方に伸ばす如く一体形成された上面補強リブが設けられ、上記上面補強リブは上記物品載置部の周囲に設けられた側壁上に設けられ全体として角が丸い四角形状に形成されていることを特徴とする冷蔵庫の庫内棚。
【請求項２】
上記物品載置部は平板状に形成され、上記物品載置部の底面に、冷蔵庫の前後方向に対辺を結ぶ如く直線状に伸びる底面補強リブが一体形成されていることを特徴とする請求項１に記載の冷蔵庫の庫内棚。
【発明の詳細な説明】
【技術分野】
【０００１】
この発明は、合成樹脂材で形成された冷蔵庫の庫内棚に関するものである。
【背景技術】
【０００２】
合成樹脂材料から射出成型法により形成された従来の冷蔵庫の庫内棚として、合成樹脂により形成された庫内棚本体と、庫内棚本体の前部に対向し挿入され、棚前飾りを兼ねたアルミニウムまたはアルミニウム合金製の補強部材とから成り、庫内棚本体に上下位置決め用の溝を、補強部材に中空部と庫内棚本体の溝に挿入されるリブとを備え、庫内棚本体の溝に補強部材のリブが挿入された時にできる隙間を隠蔽する段差部を、補強部材に設けるようにしたものがある（例えば特許文献１参照）。
【先行技術文献】
【特許文献】
【０００３】
【特許文献１】特許第２９８４４９０号公報（第１頁、図１・図２）
【発明の概要】
【発明が解決しようとする課題】
【０００４】
上記のような従来の冷蔵庫の庫内棚においては、金属製の補強部材を用いる場合、金属製の補強部材と、組立作業が必要となるため、その材料費、製造費、組立加工費などを要する分、製造費用が高くなる他、組立時に合成樹脂製の庫内棚本体に傷が付いた場合には製造不良になるという問題があった。また、庫内棚と補強部材との隙間には細かいゴミや食汁が入り込み易く、余分な清掃作業が必要となるなどの問題があった。また、庫内棚に補強リブを設置する場合、従来の方式では庫内棚の合成樹脂使用量が増加し、製造費用が高くなるという問題があった。
【０００５】
この発明は、上記のような従来技術の課題を解消するためになされたものであり、金属製の補強部材を設置しなくても必要な強度を確保することができ、しかも庫内棚本体の合成樹脂使用量が従来よりも少なく、安価に提供し得る冷蔵庫の庫内棚を得ることを目的としている。
【課題を解決するための手段】
【０００６】
この発明に係る冷蔵庫の庫内棚は、合成樹脂材からなり、食品などの物品を載せる物品載置部と、該物品載置部の周囲に設けられ、上記物品載置部に垂直に近い角度で形成された側壁と、上記物品載置部の底面の外周部に、該底面よりも下方向に突出された補強部とが一体に形成されてなるものであって、冷蔵庫の前方側に位置する上記側壁の頂部から前方側に伸びるように一体形成された前フランジを有し、かつ、上記補強部は、上記側壁と略同じ肉厚で該側壁から上記物品載置部の底面よりも下方向に延長する如く形成された底面周囲補強リブからなるとともに、上記側壁の頂部を上記前フランジよりも上方に伸ばす如く一体形成された上面補強リブが設けられ、上記上面補強リブは上記物品載置部の周囲に設けられた側壁上に設けられ全体として角が丸い四角形状に形成されていることを特徴とするものである。
【発明の効果】
【０００７】
この発明においては、食品等の重量負荷によって物品載置部の外周部に発生する曲げモーメント、及びねじりモーメントに対する補強を、物品載置部の周囲に一体形成された側壁と底面外周部に一体形成された補強部によって行い、冷蔵庫の前方側に位置する上記側壁の頂部から前方側に伸びるように一体形成された前フランジを有し、かつ、上記補強部は、上記側壁と略同じ肉厚で該側壁から上記物品載置部の底面よりも下方向に延長する如く形成された底面周囲補強リブからなるとともに、上記側壁の頂部を上記前フランジよりも上方に伸ばす如く一体形成された上面補強リブが設けられ、上記上面補強リブは上記物品載置部の周囲に設けられた側壁上に設けられ全体として角が丸い四角形状に形成されているので、物品載置部の外周部に発生する曲げモーメント、及びねじりモーメントに対する剛性を確実に高めることができ、しかも、上記側壁は物品載置部に垂直に近い角度で形成されているので、物品載置部に載せられた重量負荷に対する剛性を充分に確保することができる。
【図面の簡単な説明】
【０００８】
【図１】本発明の実施の形態１に係る冷蔵庫の庫内棚の外観概要を示す斜視図。
【図２】図１に示された庫内棚の底面側（裏面）の外観概要を示す斜視図。
【図３】図１に示された前フランジ部分のＡ−Ａ線における矢視断面図。
【図４】本発明の実施の形態２に係る冷蔵庫の庫内棚の要部を示す断面斜視図。
【図５】本発明の実施の形態３に係る冷蔵庫の庫内棚の外観概要を示す斜視図。
【図６】図５に示された前フランジ部分のＡ−Ａ線における矢視断面図。
【図７】本発明の実施の形態４に係る冷蔵庫の庫内棚の要部を示す断面斜視図。
【図８】本発明の実施の形態５に係る冷蔵庫の庫内棚の外観概要を示す斜視図。
【図９】図８に示された前フランジ部分のＡ−Ａ線における矢視断面図。
【図１０】本発明の実施の形態６に係る冷蔵庫の庫内棚の底面側（裏面）の外観概要を示す斜視図。
【発明を実施するための形態】
【０００９】
実施の形態１．
以下、本発明の実施の形態１による冷蔵庫の庫内棚について、図１〜図３を参照して説明する。なお、各図を通じて同一符号は同一または相当部分を示している。図において、冷蔵庫（図示省略）の庫内棚１は透明の合成樹脂材のみからなり、プラスチック射出成形法により一体成形されている。庫内棚１は、食品や食材などの物品を載せる平板状の物品載置部２と、該物品載置部２の周囲四方に上方向に伸びるように一体形成された側壁３と、物品載置部２の底面２ａの外周部に、該底面２ａよりも下方向に突出された補強部４を有している。そして、冷蔵庫の前方側（図１の左斜め下方向側）に位置する側壁３には、該側壁３の頂部から前方に伸びるように一体形成された前フランジ５が一体形成されている。
【００１０】
側壁３は、物品載置部２上に飲料などの液体類を溢しても、物品載置部２内に留め、冷蔵室内への液体漏れを防止する。また、該側壁３は物品載置部２に対して垂直に近い角度で形成されており、物品載置部２に載せられた食品等の重量負荷に対する補強の効果を有する。前フランジ５は、上面側が突に滑らかに湾曲され、その下面側に設けられた複数の前フランジ補強リブ５ａが前フランジ５の長手方向に沿って伸びるように一体形成されている。該前フランジ５は、意匠性、食品等収容物の出し入れの使い勝手の良さを確保するために、折り返し５ｂがついた形状になっており、その最前部の高さは最後部よりも低く、前フランジ５全体は前方に尖ったような形状になっている。
【００１１】
このように、前フランジ５の上下方向の位置は物品載置部２よりも高くなっており、側壁３と協同して、物品載置部２の前側が後側よりも重量負荷によって庫内棚１が変形し易いことに対する補強と、物品載置部２に載置された物が該物品載置部２から脱落するのを防止する役割を有する。なお、上記前フランジ補強リブ５ａにより、庫内棚１をプラスチック射出成形法により成形する際、前フランジ５にはヒケが生じるため、前フランジ５の表面には、ヒケを目立ち難くするためのシボ加工（図示省略）が施さている。
【００１２】
庫内棚１の左右端部には庫内設置フランジ６が形成されている。庫内棚１を実際に冷蔵庫内に設置する場合は、庫内設置フランジ６が冷蔵庫内のレール部（図示省略）により支持された状態となる。また、庫内設置フランジ６には折り返しはないが、前フランジ５と同様に、物品載置部２よりも高くなっており、庫内棚１のたわみに対する補強と、物品載置部２に載置された食品等収容物が物品載置部２から脱落するのを防止する役割を有する。庫内棚１の後端部には後フランジ７が形成されており、前フランジ５と同様に、物品載置部２よりも高くなっており、折り返しがついた形状になっており、庫内棚１のたわみに対する補強と、物品載置部２に載置された食品等収容物が物品載置部２から脱落するのを防止する機能を有する。
【００１３】
この発明の典型的な特徴部分である補強部４は、この実施の形態１では側壁３と略同程度の肉厚で、該側壁３から物品載置部２の底面２ａよりも下方向に全周にわたって延長する如く突出形成された底面周囲補強リブ４Ａからなっている。該補強部４である底面周囲補強リブ４Ａは、物品載置部２の底面２ａの外周端に沿って形成された、全体として角が丸い略四角形状をなし、底面２ａからの突出量は図３に示すように側壁３の高さに比べてはるかに低く、物品載置部２の厚みと同程度かそれよりも短い程度の寸法である。底面周囲補強リブ４Ａは上記のように構成されていることで、食品収容物等の重量負荷によって物品載置部２の外周部に発生する曲げモーメント、及びねじりモーメントに対する剛性を高めるように作用する。
【００１４】
上記のように構成された実施の形態１においては、補強部４を側壁３と略同じ肉厚で該側壁３から、物品載置部２の底面２ａよりも下方向に全周にわたって延長する如く形成された底面周囲補強リブ４Ａによって構成したことにより、庫内棚１のたわみの抑制効果を大きくすることができる。また、補強部４として必要な合成樹脂使用量は他の箇所に補強リブを設置するよりも少なくて済むので、庫内棚１のたわみの抑制効果を同じ合成樹脂使用量で他の箇所に補強リブを設置するよりも高くできる。そのため、従来必要であった金属製の補強部材が不要となり、庫内棚１との組立作業も不要となる。また、合成樹脂の使用量を削減できるため、原材料の減量化を可能にできると共に、材料費、組立加工費、製造不良などを何れも低減することができ、省エネにもつながる。
【００１５】
また、金属製の補強部材を不要にできるため、庫内棚１と補強部材との隙間に細かいゴミや、食汁が入り込むことがないので余分な清掃作業も不要であり、冷蔵庫内を衛生的に保つことができる。剛性が高められることで庫内棚１を清掃する際に、庫内棚１が割れたりすることなども防止できる。また、補強部４は側壁３と略同じ肉厚で側壁３を下方向に延長させる如く形成したので、庫内棚１をプラスチック射出成形法により形成する際、補強リブを施した箇所に通常発生する合成樹脂のヒケが発生せず、外観の悪化がない。また、庫内清掃時に庫内棚１を冷蔵庫内から取り外して一時的にテーブルなどに置く際、下方向に突出された補強部４がテーブルなどに接触するため、物品載置部２の底面２ａがテーブルなどに接触せず、傷が付き難いなどの効果が得られる。
【００１６】
実施の形態２．
次に、図４を参照して本発明の実施の形態２に係る冷蔵庫の庫内棚について説明する。なお、図４は図１のＡ−Ａ線における矢視断面図に相当するものである。また、この実施の形態２は、実施の形態１における前フランジ補強リブ５ａを削除し、側壁３を深くしたものであり、外観形状は実施の形態１の図１と略同様であるので、以下図１も参照して説明する。図において、前フランジ５に連なる冷蔵庫の前方側に位置する側壁３の高さＨは図３のものよりも所定寸法高く形成されており、さらに、前フランジ５の下面側に補強リブは設けられておらずフラット状に形成されている。その他の構成は実施の形態１と同様であるので説明を省略する。
【００１７】
上記のように構成された実施の形態２によれば、前フランジ５の下側に設けた前フランジ補強リブ５ａ（図３）を省くことによる剛性の低下を、側壁３の高さＨを所定寸法高くしたことによって補うことができる。さらに、高さＨを所定寸法高くするのに要する合成樹脂の使用量は、前フランジ補強リブ５ａを設けた場合よりも少なくすることができるので、合成樹脂使用量を実施の形態１のものよりも削減することができる。また、図３の前フランジ補強リブ５ａを設置する際に必要だった前フランジ５のシボ加工も不要にできるという付随的な効果がある。
【００１８】
実施の形態３．
次に、図５、図６を参照して本発明の実施の形態３に係る冷蔵庫の庫内棚について説明する。なお、この実施の形態３は、補強部４を実施の形態１、２における底面周囲補強リブ４Ａに代えて、物品載置部２と側壁３を接続する如く設けられ、下方向に湾曲または屈曲形成された溝状部４Ｂによって構成したものである。図６に示すように、補強部４としての溝状部４Ｂの断面形状は、平面状の物品載置部２の外周端部と側壁３を接続する如く形成された断面略Ｕ字形の溝状になっている。即ち、該断面略Ｕ字形の溝状部４Ｂの一方（図６の右上側）の側壁部上端部は、物品載置部２の外周端部に連なり、断面略Ｕ字形の溝状部４Ｂの他方の側壁部は側壁３を兼ねるように一体形成されている。
【００１９】
そして、溝状部４Ｂは物品載置部２との間の第１の曲げ部４１、溝状部４Ｂの底部の第２の曲げ部４２及び第３の曲げ部４３を介して側壁３に連なっている。なお、該溝状部４Ｂは物品載置部２の外周端部の周囲四方に段差状に形成されている。前フランジ５は、この実施の形態３では直線を用いたやや角張った意匠に形成されており、側壁３との境界部分の下方に一本の前フランジ補強リブ５ａが設けられている。なお、実施の形態１と略同様に、庫内棚１の左右両端部には庫内設置フランジ６がそれぞれ設けられ、後端部には後フランジ７が設けられている。
【００２０】
上記のように構成された実施の形態３によれば、底面周囲補強リブ４Ａに代わる溝状部４Ｂによって、食品収容物等の重量負荷によって物品載置部２の外周部に発生する曲げモーメント、ねじりモーメントに対する剛性を同様に高めることができる。さらに、溝状部４Ｂによって構成された補強部４が持つ第１〜第３の３箇所の曲げ部４１、４２、４３で曲げモーメント、及びねじりモーメントにより発生する応力を分散することができ、庫内棚１に食品収容物等を大量に設置したときなどに発生する、急激な重量負荷の増大による庫内棚１の破壊を回避できる。
【００２１】
実施の形態４．
次に、図７を参照して本発明の実施の形態４に係る冷蔵庫の庫内棚について説明する。なお、図７は図１のＡ−Ａ線における矢視断面図に相当するものである。この実施の形態４は、補強部４を実施の形態２における底面周囲補強リブ４Ａ（図４）に代えて、物品載置部２の外周部近傍における肉厚を、上記側壁３の下端部の部分において最も厚く、該側壁３の下端部の部分から上記物品載置部２の中心部側に向けてテーパ状に薄くなるように形成されたテーパ状厚肉部４Ｃによって構成したものである。なお、物品載置部２の上面はフラット状に形成されているので、テーパ状厚肉部４Ｃは物品載置部２の外周部である側壁３の下端部の部分で最も下方向に突出するようなテーパ状に形成されている。その他の構成は実施の形態２と同様である。
【００２２】
上記のように構成された実施の形態４によれば、テーパ状厚肉部４Ｃによって構成された補強部４は、底面周囲補強リブ４Ａと同様に食品収容物等の重量負荷によって物品載置部２の外周部に発生する曲げモーメント、ねじりモーメントに対する剛性を高めることができる。また、テーパ状厚肉部４Ｃは、そのテーパ形状のため、曲げモーメント、ねじりモーメントにより発生する応力を分散することができるという特質も有する。
【００２３】
実施の形態５．
次に、図８、図９を参照して本発明の実施の形態５に係る冷蔵庫の庫内棚について説明する。なお、この実施の形態５は、図３に示す底面周囲補強リブ４Ａを設けたものに対して、物品載置部２の側壁３を上方に延長させる如く一体形成された上面補強リブ８を設け、前フランジ補強リブ５ａを省いたものに相当する。なお、上面補強リブ８は図８に示すように、物品載置部２の外周囲の側壁３上に沿って設けられ、全体として角が丸い四角形状に形成されている。その他の構成は実施の形態１と同様であるので説明を省略する。
【００２４】
上記のように構成された実施の形態５においては、側壁３を上方に伸ばす如く形成された上面補強リブ８を設けたことにより、庫内棚１の前方側の剛性が確保され、前フランジ５の下側の前フランジ補強リブ５ａ（図３）を省くことができるなど実施の形態２と同様の効果を得ることができる。なお、実施の形態２の構成のものに、さらに側壁３の上端に上面補強リブ８を付加した場合には、食品収容物等の重量負荷による物品載置部２の外周部に発生する曲げモーメント、及びねじりモーメントに対する剛性をさらに高めることができる。このため、庫内棚１本体の肉厚をさらに薄肉化することが可能となり、合成樹脂使用量を実施の形態２のものよりも低減することができる。
【００２５】
実施の形態６．
次に、図１０を参照して本発明の実施の形態６に係る冷蔵庫の庫内棚について説明する。なお、この実施の形態６は、図４に示す底面周囲補強リブ４Ａを設けたものに対して、物品載置部２の底面２ａに底面補強リブ９を付加したものである。図に示すように底面補強リブ９は冷蔵庫の前後方向に対辺を結ぶ如く伸びる直線状に形成され、この例では互いに離間して平行に複数本（３本）設けられている。その他の構成は実施の形態２と同様であるので説明を省略する。
【００２６】
上記のように構成された実施の形態６においては、実施の形態２の構成のものに、さらに物品載置部２の底面２ａに複数本の底面補強リブ９を付加したので、食品収容物等の重量負荷によって物品載置部２の外周部に発生する曲げモーメント、ねじりモーメントに対する剛性をさらに高めることができる。このため、庫内棚１本体の薄肉化による合成樹脂使用量の低減ができる。なお、底面補強リブ９の本数や該底面補強リブ９の延在方向は特に限定されるものではなく、例えば該底面補強リブ９を左右方向に形成し、あるいは縦横方向や斜め方向に交差する格子状に形成しても良い。
【００２７】
ところで、上記実施の形態１〜６では、物品載置部２が平滑状の場合について説明したが、これに限定されるものではない。また、実施の形態１〜６の発明を相互に適宜組み合わせることもできることは言うまでもない。
【符号の説明】
【００２８】
１  庫内棚、  ２  物品載置部、  ２ａ  底面、  ３  側壁、  ４  補強部、  ４Ａ  底面周囲補強リブ、  ４Ｂ  溝状部、  ４Ｃ  テーパ状厚肉部、  ５  前フランジ、  ５ａ  前フランジ補強リブ、  ５ｂ  折り返し、  ６  庫内設置フランジ、  ７  後フランジ、  ８  上面補強リブ、  ９  底面補強リブ、  ４１  第１の曲げ部、  ４２  第２の曲げ部、  ４３  第３の曲げ部。
【図１】
0005554044.tif 000002
【図２】
0005554044.tif 000003
【図３】
0005554044.tif 000004
【図４】
0005554044.tif 000005
【図５】
0005554044.tif 000006
【図６】
0005554044.tif 000007
【図７】
0005554044.tif 000008
【図８】
0005554044.tif 000009
【図９】
0005554044.tif 000010
【図１０】
0005554044.tif 000011